(57)【要約】【課題】  光学保存媒体のラベルのリライト方法の提供。【解決手段】  可逆性熱感材料をディスクのラベルに使用し、且つコンピュータを使用する必要なく、ファームウエアを応用するか、或いはコンピュータを使用時にソフトウエアを利用して、光学読み取り装置でディスクのファイル関係情報、例えばファイル名を読み取り更に熱処理を利用しディスクのラベルに、ファイル関係情報を削除してから或いは直接書き込むか、ディスクに記録する時、面を交換せずに直接該ディスクのラベルに書き込むことができる。【選択図】        図１
2006294200.tif 000002
【特許請求の範囲】
【請求項１】
光学保存媒体のラベルのリライト方法において、
光学保存媒体内の情報を読み取るステップと、
ファームウエアを使用し及び熱処理により該情報を該光学保存媒体のラベル層に書き込むかラベル層の情報を削除し、該ラベル層は可逆性感熱材料とし、それは温度に伴い変化する可逆性感熱層を包含するものとするステップと、
を包含することを特徴とする、光学保存媒体ラベルのリライト方法。
【請求項２】
請求項１記載の光学保存媒体のラベルのリライト方法において、情報を光学読み取り装置により直接読み取ることを特徴とする、光学保存媒体のラベルのリライト方法。
【請求項３】
請求項１記載の光学保存媒体のラベルのリライト方法において、情報は光学保存媒体内のファイル明細とすることを特徴とする、光学保存媒体のラベルのリライト方法。
【請求項４】
請求項１記載の光学保存媒体のラベルのリライト方法において、情報はファイル名とすることを特徴とする、光学保存媒体のラベルのリライト方法。
【請求項５】
請求項１記載の光学保存媒体のラベルのリライト方法において、ファームウエアはソフトウエアとメモリを包含することを特徴とする、光学保存媒体のラベルのリライト方法。
【請求項６】
光学保存媒体のラベルのリライト方法において、
光学保存媒体内の情報を読み取るステップと、
ソフトウエアを利用し及び熱処理により該情報を光学保存媒体のラベル層に書き込むかラベル層の情報を削除し、該ラベル層は可逆性感熱材料とし、それは温度に伴い変化する可逆性感熱層を包含するものとするステップと、
を包含することを特徴とする、光学保存媒体ラベルのリライト方法。
【請求項７】
請求項６記載の光学保存媒体のラベルのリライト方法において、情報を光学読み取り装置により直接読み取ることを特徴とする、光学保存媒体のラベルのリライト方法。
【請求項８】
請求項６記載の光学保存媒体のラベルのリライト方法において、情報は光学保存媒体内のファイル明細とすることを特徴とする、光学保存媒体のラベルのリライト方法。
【請求項９】
請求項６記載の光学保存媒体のラベルのリライト方法において、情報はファイル名とすることを特徴とする、光学保存媒体のラベルのリライト方法。
【発明の詳細な説明】
【技術分野】
【０００１】
本発明は重複書き込み可能な光学保存媒体のラベルのリライト方法に係り、特に光学保存媒体のラベルの書き込み方法を指し、それはソフト及び熱処理の方式を利用して重複書き込みを行なう方法である。
【背景技術】
【０００２】
現在、デジタル化時代に突入し、宣伝公告等に使用される情報、目録、音光画像効果がコンピュータを通して未記録の光学保存媒体、例えば光ディスクに記録され、未記録の光ディスクに標記がなければ、異なるディスクデータ間で混乱が発生しやすく、管理保存が容易でなくなる。このため専用ペンでディスクに標記を手書きするか、或いはコンピュータで印刷したラベルをディスクに貼り付ける方法が採られている。現在、記録装置で記録完成したディスクに印刷するためのプリンタも開発されている。これは記録装置と印刷機が二カ所に分かれ、それぞれ独立しているため、ディスクを記録装置からとり出した後にプリンタまで移動させて挿入しなければならず、記録装置とプリンタ間を往復する時間のためにディスク記録完成の時間が延長される。さらに、ディスクとラベルは別個に処理されるため、混乱を形成する恐れがあり、印刷エラーを形成しうる。特許文献１にはディスクのラベル貼り機の構造が記載され、それはディスクのラベルを別に製造するため、記録装置よりとり出した後に更にプリンタ及びラベル貼り機を利用しなければならない。関係する技術にはまた特許文献２、３、４等がある。
【０００３】
更に、現在、記録と印刷を結合させた技術があり、例えば、特許文献５にはディスク記録装置にディスクラベル印刷の機能も具備させた技術が記載されている。しかしこれは別個に処理する必要はないものの印刷エラー時に訂正することができない。
【０００４】
また、特許文献６及び７には可逆性感熱記録材料、例えばキャリア上に温度と関係して透明度が可逆変化する有機低分子物質と複数のエステルからなる層で形成された可逆性感熱記録材料、或いはキャリア上に染料前駆物質と可逆性発色剤を含有する感熱発色層が設けられてなる可逆性感熱記録材料が記載されている。そのうち、特許文献７には非接触型リライト式熱ラベルが記載され、その特徴は、基材の一面に基材側より順に橋かけ結合樹脂から成るベースコート層、感熱発色層、光吸収熱交換層が積層され、基材のもう一面に接着剤層が設けられ、非接触方式で情報の重複記録と消去が行なえ、そのうちベースコート層の橋かけ結合樹脂はゲル成分３０％以上の橋かけ度を有し、感熱発色層は染料前駆物質と可逆性発色剤を含有する。特許文献６には熱可逆記録媒体が提示され、その特徴は、樹脂及び有機低分子化合物、温度に伴い透明度が可逆変化する感熱層を包含し、該感熱層のガラス遷移温度変化は摂氏−１０度から５度であり、且つ透明化温度は摂氏３０度以上である。
【０００５】
これにより本発明はディスク上においてこのような可逆性感熱材料を利用し、それに重複読み書き可能なディスクラベル層を具備させ、且つディスク内のファイル情報を該ラベル層に印刷し、更に、記録装置においてそれを別個に処理する必要をなくし、上述の問題を解決する。
【０００６】
【特許文献１】台湾特許公告第４６７１１４号明細書
【特許文献２】台湾特許公告第３７４４８４号明細書
【特許文献３】台湾特許公告第３１２６０９号明細書
【特許文献４】台湾特許公告第５０９２０７号明細書
【特許文献５】台湾特許公告第５５８６８７明細書
【特許文献６】台湾特許公告第５９０９０７明細書
【特許文献７】台湾特許公告第５８６０９０明細書
【発明の開示】
【発明が解決しようとする課題】
【０００７】
本発明の主要な目的は、光学保存媒体のラベルのリライト方法を提供することにあり、それは、光学読み取り装置を使用してディスク内の情報を読み取り更にソフトにより該情報を該ディスクの具備する可逆性感熱材料ラベルに印刷し、それに重複書き込み可能な機能を具備させると共に、記録必要な時に記録装置を結合でき別に処理する必要をなくす。
【０００８】
本発明の次の目的は、光学保存媒体のラベルのリライト方法を提供することにあり、それは、ファームウエアを提供し、本発明はコンピュータを踏査図、直接該ファームウエアを通してディスクの情報を読み取り、該ディスクの具備する可逆性感熱材料ラベルに印刷し、それに重複書き込み可能な機能を具備させる。
【０００９】
上述の目的を達成するため、本発明によると、可逆性熱感材料をディスクのラベルに使用し、且つコンピュータを使用する必要なく、ファームウエアを応用するか、或いはコンピュータを使用時にソフトウエアを利用して、光学読み取り装置でディスクのファイル関係情報、例えばファイル名を読み取り更に熱処理を利用しディスクのラベルに、ファイル関係情報を削除してから或いは直接書き込むか、ディスクに記録する時、面を交換せずに直接該ディスクのラベルに書き込むことができるものとする。
【課題を解決するための手段】
【００１０】
請求項１の発明は、光学保存媒体のラベルのリライト方法において、
光学保存媒体内の情報を読み取るステップと、
ファームウエアを使用し及び熱処理により該情報を該光学保存媒体のラベル層に書き込むかラベル層の情報を削除し、該ラベル層は可逆性感熱材料とし、それは温度に伴い変化する可逆性感熱層を包含するものとするステップと、
を包含することを特徴とする、光学保存媒体ラベルのリライト方法としている。
請求項２の発明は、請求項１記載の光学保存媒体のラベルのリライト方法において、情報を光学読み取り装置により直接読み取ることを特徴とする、光学保存媒体のラベルのリライト方法としている。
請求項３の発明は、請求項１記載の光学保存媒体のラベルのリライト方法において、情報は光学保存媒体内のファイル明細とすることを特徴とする、光学保存媒体のラベルのリライト方法としている。
請求項４の発明は、請求項１記載の光学保存媒体のラベルのリライト方法において、情報はファイル名とすることを特徴とする、光学保存媒体のラベルのリライト方法としている。
請求項５の発明は、請求項１記載の光学保存媒体のラベルのリライト方法において、ファームウエアはソフトウエアとメモリを包含することを特徴とする、光学保存媒体のラベルのリライト方法としている。
請求項６の発明は、光学保存媒体のラベルのリライト方法において、
光学保存媒体内の情報を読み取るステップと、
ソフトウエアを利用し及び熱処理により該情報を光学保存媒体のラベル層に書き込むかラベル層の情報を削除し、該ラベル層は可逆性感熱材料とし、それは温度に伴い変化する可逆性感熱層を包含するものとするステップと、
を包含することを特徴とする、光学保存媒体ラベルのリライト方法としている。
請求項７の発明は、請求項６記載の光学保存媒体のラベルのリライト方法において、情報を光学読み取り装置により直接読み取ることを特徴とする、光学保存媒体のラベルのリライト方法としている。
請求項８の発明は、請求項６記載の光学保存媒体のラベルのリライト方法において、情報は光学保存媒体内のファイル明細とすることを特徴とする、光学保存媒体のラベルのリライト方法としている。
請求項９の発明は、請求項６記載の光学保存媒体のラベルのリライト方法において、情報はファイル名とすることを特徴とする、光学保存媒体のラベルのリライト方法としている。
【発明の効果】
【００１１】
本発明は可逆性感熱材料をディスクのラベルに利用し、並びにディスクドライブ或いは記録装置を使用し、ファームウエア或いはソフトウエアを通して該ディスクの情報を、別の装置により該ディスクのラベルに印刷するか或いはディスクを取り出す必要なく、直接ディスクのラベルに書き込むか或いは削除できる。本発明は新規性、進歩性及び産業上の利用価値を有し、特許の要件に符合する。なお、以下の実施形態の説明は本発明の実施範囲を限定するものではなく、本発明に基づきなしうる細部の修飾或いは改変は、いずれも本発明の請求範囲に属するものとする。
【発明を実施するための最良の形態】
【００１２】
周知の技術にはディスクラベルの印刷技術はあるが、別にプリンタを使用して印刷しなければならず、更にディスクの表面にラベルを貼り付ける必要がある。また直接記録装置にディスクラベル印刷を結合させた技術もあるが、印刷エラーが起きると、補正することができない。ゆえに本発明は周知の技術の可逆性感熱材料をディスクラベルに応用し、それに重複書き込み可能な機能を具備させる。可逆性感熱材料は周知の技術であるため、その関係技術は本発明の重点ではないため詳しく説明しないが、前述の特許文献６を参照されたい。
【００１３】
まず、ディスクラベルの削除或いは書き込みの説明を行なう。ディスクのラベルは可逆性感熱材料を具え、そのうち、該可逆性感熱材料は、可逆感熱層と保護層を具え、磁気ヘッドを利用して可逆感熱層のデータを読み取ることができ、或いは加熱ヘッドを利用して加熱して該可逆感熱層の情報を削除してから、更に感熱ヘッド及び該加熱ヘッドを利用して熱処理してデータの該可逆感熱層への書き込みを行うことができる。書き込み或いは削除の技術については本発明の重点ではないため、詳しくは説明しない。
【００１４】
図１は本発明の光学保存媒体のラベルのリライト方法のフローチャートである。その主要なステップは以下を包含する。
ステップＳ１０：  光学保存媒体内の情報を読み取る
ステップＳ２０：  ファームウエアを使用し及び熱処理により該情報を光学保存媒体のラベル層に書き込むか削除する。そのうち、該ラベル層は可逆性感熱材料とされ、それは温度に伴い変化する可逆感熱層を包含する。
【００１５】
そのうち、ステップＳ２０中の書き込み或いは削除の技術は、上述したように、該光学保存媒体の情報をファイルの関係情報、例えばファイル名となすことができる。
【００１６】
さらに、ステップＳ２０中でファームウエアを使用し、該ファームウエアはソフトウエアとメモリを包含し、コンピュータを使用せずに、ファームウエアによりディスクのラベルの書き込み或いは削除を行なうことができ、コンピュータを使用する時は、ステップＳ２０はソフトウエアを応用してディスクのラベルの書き込み或いは削除を行うステップとされ、これはコンピュータを使用するか否かにより決定される。
【００１７】
また、本発明は記録装置或いは一般のディスクドライブに運用可能で、記録装置を使用する時は、記録とディスクのラベルの書き込み或いは削除を行なえ、現在、記録装置の記録はコンピュータを使用するか或いは独立してコンピュータを使用しない二種類の技術があり、ゆえに本発明はコンピュータのソフトを使用するか或いはコンピュータを使用せずにファームウエアによりディスクのラベルの書き込み或いは削除の動作を行なう。ゆえにディスクは、ＣＤ、ＣＤ−Ｒ、ＣＤ−ＲＷ、ＤＶＤ、ＤＶＤ−Ｒ、ＤＶＤ−ＲＷ、ＤＶＤ＋Ｒ、ＤＶＤ＋ＲＷ、ＤＶＤ−ＲＡＭ系列製品とされうる。
【図面の簡単な説明】
【００１８】
【図１】本発明の光学保存媒体のラベルのリライト方法のフローチャートである。
【符号の説明】
【００１９】
Ｓ１０、Ｓ２０  ステップ
【図１】
2006294200.tif 000003